(57)【要約】【課題】小型化を実現することができる信号記録再生装置を提供する。【解決手段】信号記録再生装置は、ディスク１４０５の挿入口１４０６と、挿入口１４０６に対して開閉可能に設置された外装カバー１０２と、外装カバー１０２の内部に配置される操作部材１４０３と、スロットイン方式のディスク駆動装置１５０１とを備える。そして、外装カバー１０２を閉じた状態で、ディスク１０４５の挿入及び排出の動作軌跡上に、操作部材１４０３を配置する。【選択図】図１３
2009295198.tif 000002
【特許請求の範囲】
【請求項１】
ディスクの挿入口と、
前記挿入口に対して開閉可能に設置された外装カバーと、
前記外装カバーの内部に配置される操作部材と、
スロットイン方式のディスク駆動装置とを備え、
前記外装カバーを閉じた状態で、前記ディスクの挿入及び排出の動作軌跡上に、前記操作部材を配置することを特徴とする信号記録再生装置。
【請求項２】
前記ディスクの挿入及び排出を補助するための第１の揺動体を有し、前記第１の揺動体は、前記ディスクが挿入または排出された後に、前記ディスクの外周と前記操作部材との間に揺動し、前記第１の揺動体の揺動によってできた領域に、前記外装カバー内部に配置された前記操作部材が収納されることを特徴とする請求項１記載の信号記録再生装置。
【発明の詳細な説明】
【技術分野】
【０００１】
本発明は、スロットイン方式のディスク駆動装置を備えた信号記録再生装置に関する。
【背景技術】
【０００２】
従来のディスク駆動装置では、ディスクの交換は、スピンドルモータのターンテーブルに対してディスクを直接着脱することで行われる場合や、出没自在のトレイによりディスクを挿入及び排出することで行われる場合が一般的である。
【０００３】
しかし近年では、装置の操作性を向上するために、ディスクを挿入口から挿入及び排出する動作を自動で行う方式（スロットイン方式）が増えている（特許文献１参照）。
【０００４】
従来の、スピンドルモータのターンテーブルに対してディスクを直接着脱する方式を用いたディスク駆動装置は、ビデオカメラに搭載された例が知られている（非特許文献１参照）。
【０００５】
しかし、ディスクを直接着脱するために、ディスクの挿入及び排出を行う場合は、ディスクを確実に手で把持する必要がある。その結果、ディスクをターンテーブルに装着し難いという欠点がある。
【０００６】
この欠点を補うために、スロットイン方式を用いたディスク駆動装置を搭載したビデオカメラとして、図１４に示すような形態が考えられる。
【０００７】
図１４は、従来例に係る信号記録再生装置としてのビデオカメラの外観斜視図、図１５は、図１４のビデオカメラをある切断面にて切断したときの構成図である。
【０００８】
図１４、図１５において、外装カバー１４０２は、ビデオカメラ本体１４０１に開閉可能に取り付けられている。外装カバー１４０２には、操作部材１４０３が取り付けられており、操作部材１４０３によって、ズーム倍率の変更や、記録の開始などの動作を行うことができる。
【０００９】
また、外装カバー１４０２を閉じても、操作部材１４０３がビデオカメラ本体１４０１に干渉しないように、操作部材収納用切り欠き１４０４が配置されている。ディスク１４０５は、ビデオカメラ本体１４０１に設けられた挿入口１４０６から、ビデオカメラ本体１４０１に対して挿入及び排出される。
【００１０】
ビデオカメラ本体１４０１には、図１５に示すように、スロットイン方式のディスク駆動装置１５０１が備え付けられている。
【００１１】
このようなディスク駆動装置１５０１を搭載したビデオカメラ本体１４０１において、ディスク１４０５の排出動作は、外装カバー１４０２を開き、外装カバー開閉検出スイッチ（図示しない）が押されることで実行される。
【００１２】
外装カバー開閉検出スイッチが押されると、ディスク駆動装置１５０１が動作し、ディスク１４０５を挿入口１４０６から排出する。ディスク１４０５の排出動作は、ディスク駆動装置１５０１に設置された第１の揺動体１５０２、第２の揺動体１５０３及び第３の揺動体１５０４によって行われる。
【００１３】
図１６は、図１５のディスク駆動装置に配置されたそれぞれの揺動体の動作を示す概略図である。
【００１４】
図１６において、第１の揺動体１５０２の動作において、矢印１６０１の動作方向を退避方向、矢印１６０２の動作方向を挿入方向と呼ぶ。第２の揺動体１５０３の動作において、矢印１６０３の動作方向を挿入方向、矢印１６０４の動作方向を排出方向と呼ぶ。また、第３の揺動体１５０４の動作において、矢印１６０５の動作方向を挿入方向、矢印１６０６の動作方向を排出方向と呼ぶ。
【００１５】
ディスク１４０５の排出動作の際、ディスク駆動装置１５０１に配置された第１の揺動体１５０２は、ディスク１４０５の外周に当接しながら、外周に沿うように退避方向（矢印１６０１）に移動する。
【００１６】
また、ディスク駆動装置１５０１に配置された第２の揺動体１５０３及び第３の揺動体１５０４は、ディスク１４０５を押し出すように、排出方向（矢印１６０４及び矢印１６０６）への動作を行う。
【００１７】
これらの動作は、ディスク駆動装置１５０１に配置されたモータ１６０７によって動力を発生させ、ギア列１６０８を介してスライド機構１６０９を動かすことで実現されている。
【００１８】
スライド機構１６０９は、モータ１６０７の動作によって挿入方向（矢印１６１０）と排出方向（矢印１６１１）に所定の距離だけ動作する。スライド機構１６０９には、カム溝１６１２が形成されており、リンク機構１６１３によって第１の揺動体１５０２と連結されている。
【００１９】
第１の揺動体１５０２は、第１の回転中心１６１４を中心として揺動するように配置されている。また、第２の揺動体１５０３は、ディスク１４０５の外周の動作軌跡に追従できるように駆動バネＡ１６１５が係合している。
【００２０】
さらに、スライド機構１６０９がギア列１６０８と係合する反対側の端部（長手方向）には、第３の揺動体１５０４を駆動するための駆動面１６１６が設置されている。第３の揺動体１５０４のディスク１４０５と当接する側と反対側の端部には、駆動面１６１６と当接しながら動作する駆動軸１６１７が配置されている。
【００２１】
加えて、第３の揺動体１５０４には、スライド機構１６０９の動作で駆動面１６１６が移動し、その移動に追従するために駆動バネＢ１６１８が係合している。駆動バネＡ１６１５及び駆動バネＢ１６１８の他端は、ディスク駆動装置１５０１に設けられた係合部（図示しない）に係合している。
【００２２】
第２の揺動体１５０３及び第３の揺動体１５０４は、それぞれ第２の回転中心１６１９と第３の回転中心１６２０を中心として回動するように配置されている。
【特許文献１】特開２００２−１１７６０４号公報
【非特許文献１】キヤノン株式会社  デジタルビデオカメラ総合カタログ（２００７年９月現在）１７ページ
【発明の開示】
【発明が解決しようとする課題】
【００２３】
上記のビデオカメラ本体１４０１では、外装カバー１４０２が閉じるときには、第１の揺動体１５０２が退避方向（矢印１６０１）に移動している。
【００２４】
図１７は、ディスクが挿入されているときの図１４のビデオカメラの断面図、図１８は、ディスクが排出されているときの図１４のビデオカメラの断面図である。
【００２５】
図１７及び図１８に示すように、第１の揺動体１５０２が退避方向（矢印１６０１）に移動しているため、外装カバー１４０２内部に配置された操作部材１４０３と第１の揺動体１５０２との干渉を避ける必要がある。
【００２６】
従って、操作部材収納用切り欠き１４０４がディスク駆動装置１５０１を避けた位置に用意され、ビデオカメラ本体１４０１の小型化を妨げる要因になっていた。
【００２７】
本発明の目的は、小型化を実現することができる信号記録再生装置を提供することにある。
【課題を解決するための手段】
【００２８】
上記目的を達成するために、請求項１記載の信号記録再生装置は、ディスクの挿入口と、前記挿入口に対して開閉可能に設置された外装カバーと、前記外装カバーの内部に配置される操作部材と、スロットイン方式のディスク駆動装置とを備え、前記外装カバーを閉じた状態で、前記ディスクの挿入及び排出の動作軌跡上に、前記操作部材を配置することを特徴とする。
【発明の効果】
【００２９】
本発明の信号記録再生装置によれば、小型化を実現することができる。
【発明を実施するための最良の形態】
【００３０】
以下、本発明の実施の形態を図面を参照しながら詳細に説明する。
【００３１】
本実施の形態において、図１４以下の従来のビデオカメラと同一の構成については、同一の符号を付し、重複する説明は省略する。
【００３２】
図１は、本発明の実施の形態に係る信号記録装置としてのビデオカメラにおいて、外装カバーを開いた状態の外観斜視図である。図２は、図１のビデオカメラにおいて、外装カバー内部に配置された操作部材を示す概略図である。
【００３３】
図１、図２において、ビデオカメラ本体１０１には、開閉可能に配置された外装カバー１０２が配置されている。図２に示すように、外装カバー１０２内部には操作部材１４０３が配置されている。また、ビデオカメラ本体１０１には、図１に示す操作部材収納用切り欠き１４０４があることで、外装カバー１０２が閉じた場合でも、操作部材１４０３が収納可能になっている。
【００３４】
図３は、ディスクが挿入口の途中にある状態（挿入途中、排出途中）で、第２の揺動体及び第３の揺動体に当接した状態を示す図１のビデオカメラの断面図である。
【００３５】
ディスク駆動装置１５０１には、ディスク１４０５の挿入及び排出を補助する複数の揺動体が配置されている。
【００３６】
第１の揺動体１５０２は、ディスク１４０５の挿入を補助する。また、第２の揺動体１５０３、第３の揺動体１５０４は、ディスク１４０５の排出を補助する。
【００３７】
図４は、図３における第１の揺動体のディスクに当接する側の先端の構成図である。
【００３８】
図４において、第１の揺動体１５０２のガイドベース４０１先端には、ガイド軸４０２が配置されており、ディスク１４０５を円滑に案内するために、ガイドローラ４０３が回動自在に嵌合している。
【００３９】
次に、ディスク駆動装置１５０１にディスク１４０５を挿入する動作について説明する。ディスク駆動装置１５０１に配置されたそれぞれの揺動体の動作方向は図１６に準ずる。
【００４０】
図５は、外装カバーが閉じられた状態の図１のビデオカメラの外観斜視図である。図６は、ディスクを挿入口から挿入している状態の図１のビデオカメラの外観斜視図である。また、図７は、ディスクの挿入完了後の図１のビデオカメラの断面図である。
【００４１】
ディスク１４０５を挿入するときは、図５に示す外装カバー１０２を閉じた状態から、図１に示すように外装カバー１０２を開いた状態にすることで、挿入口１４０６が現れる。
【００４２】
外装カバー１０２を開くと、外装カバー開閉検出スイッチ（図示しない）によって外装カバー１０２が開いたことを検出し、第１の揺動体１５０２を退避方向（矢印１２０１）に退避させる。
【００４３】
図１に示すように、外装カバー１０２を開いた状態では、第１の揺動体１５０２が操作部材収納用切り欠き１４０４に入り込む。使用者は、図６に示すように、ディスク１４０５を、挿入口１４０６に対して矢印６０１の方向に挿入し、ディスク１４０５外周を、第２の揺動体１５０３及び第３の揺動体１５０４まで到達させる。
【００４４】
図３に示す状態では、ディスク１４０５が第２の揺動体１５０３及び第３の揺動体１５０４まで到達している。ここで、第２の揺動体１５０３及び第３の揺動体１５０４を押し込むと、ディスク検出スイッチ（図示しない）が第２の揺動体１５０３及び第３の揺動体１５０４のガイドローラ４０３が配置された反対の端部で押される。
【００４５】
ディスク検出スイッチが押されることで、ディスク駆動装置１５０１に配置されたモータ１６０７が回転し、モータ１６０７と連結したスライド機構１６０９によってディスク１４０５がディスク駆動装置１５０１内に挿入される。
【００４６】
このとき、第２の揺動体１５０３及び第３の揺動体１５０４は挿入方向（矢印１６０３及び矢印１６０５）に動作する。ディスク１４０５が完全に挿入されると、第２の揺動体１５０３及び第３の揺動体１５０４は、ディスク１４０５から離脱し、ガイドローラ４０３が当接しない位置で停止する。使用者は、図７に示すようなディスク１４０５が完全に挿入された状態になった後、外装カバー１０２を閉じる。
【００４７】
続いて、ディスク駆動装置１５０１からディスク１４０５を排出する動作について説明する。
【００４８】
ディスク１４０５の排出動作は、基本的には、上記したディスク１４０５の挿入動作と逆の順番で行われる。まず、使用者は、外装カバー１０２を開いた状態にする。外装カバー１０２を開いた状態にすると、外装カバー開閉検出スイッチ（図示しない）は、外装カバー１０２が開かれたことを検出する。
【００４９】
外装カバー１０２が開かれたことを検出することで、ディスク駆動装置１５０１に配置されたモータ１６０７が挿入動作とは逆方向に回転する。このモータ１６０７の回転により、図７に示すようなディスク１４０５挿入状態から図３に示すようなディスク１４０５排出状態になるように、各揺動体が動作する。
【００５０】
即ち、ギア列１６０８と連結したスライド機構１６０９が、第１の揺動体１５０２、第２の揺動体１５０３及び第３の揺動体１５０４を排出方向（矢印１６０４及び矢印１６０６）に動作する。図３に示すようなディスク１４０５を排出した状態になった後、使用者はディスク１４０５を挿入口１４０６より取り除き、外装カバー１０２を閉じる。
【００５１】
このとき、ビデオカメラ本体１０１内のディスク１４０５の有無に関わらず、外装カバー１０２が閉じた状態にあるときは、第１の揺動体１５０２は、以下のようにして動作を完了する。即ち、第１の揺動体１５０２は、ガイドローラ４０３が操作部材収納用切り欠き１４０４とディスク１４０５の外周の間に位置するようにして動作を完了する。
【００５２】
上述した図７は、第１の揺動体１５０２のガイドローラ４０３が操作部材収納用切り欠き１４０４とディスク１４０５の外周の間に位置するように動作を完了した場合のビデオカメラ本体１０１の断面図である。図８は、従来のビデオカメラのカム溝と図１のビデオカメラのカム溝を比較して示す図である。
【００５３】
図８（ａ）に示す従来のカム溝１６１２は、第１の揺動体１５０２を動作させるために３つの位置を有している。
【００５４】
第１の位置８０２は、ディスク１４０５の排出動作を完了したときに第１の揺動体１５０２を退避方向（矢印１６０１）に退避させるための位置である。第２の位置８０３は、ディスク１４０５を挿入している際に、ディスク１４０５の挿入を補助するように動作させるための位置である。第３の位置８０４は、ディスク１４０５の挿入動作が完了した後に、ディスク１４０５から退避するための位置である。
【００５５】
一方、図８（ｂ）に示す本実施の形態のカム溝８０１は、従来の３つの位置に加え、第４の位置８０５を有している。これは、ディスク１４０５の挿入動作を完了した際に、操作部材収納用切り欠き１４０４とディスク１４０５の外周の間に第１の揺動体１５０２が位置できるようにするためである。
【００５６】
続いて、カム溝８０１とスライド機構１６０９の動作について説明する。
【００５７】
図９は、図８における第１の位置でのスライド機構と第１の揺動体との関係を示す図である。図１０は、図８における第２の位置でのスライド機構と第１の揺動体との関係を示す図である。図１１は、図８における第３の位置でのスライド機構と第１の揺動体との関係を示す図である。図１２は、図８における第４の位置でのスライド機構と第１の揺動体との関係を示す図である。
【００５８】
ディスク１４０５が挿入されると、モータ１６０７によってギア列１６０８が回転し、スライド機構１６０９は、図９に示す位置から挿入方向（矢印１６１０）に動作する。スライド機構１６０９が挿入方向に動作し、第２の位置８０３になると、図１０に示すように、第１の揺動体１５０２がディスク１４０５の外周を押し込み、挿入を補助する。
【００５９】
さらにスライド機構１６０９が動作すると、第３の位置８０４に到達し、図１１に示すように、第１の揺動体１５０２がディスク１４０５から離脱する。そして、スライド機構１６０９の動作が第４の位置８０５で完了すると、図１２に示すように、ディスク１４０５の外周から離れた位置で第１の揺動体１５０２が停止する。
【００６０】
図１３は、図３におけるディスク駆動装置の未使用領域を示す図である。
【００６１】
第１の揺動体１５０２が、ディスク１４０５の外周１３０１の間に位置するように動作を完了することで、操作部材収納用切り欠き１４０４をディスク駆動装置１５０１が使用していない領域（この領域を未使用領域１３０２と呼ぶ）に配置することができる。
【００６２】
さらに、外装カバー１０２を閉じた状態において、ディスク１４０５の挿入及び排出動作の動作軌跡上に操作部材１４０３を配置することができる。
【００６３】
未使用領域１３０２に操作部材収納用切り欠き１４０４をオーバーラップさせることで、操作部材１４０３を配置することができるようになる。第１の揺動体１５０２は、ディスク１４０５の挿入動作及び排出動作の途中で未使用領域１３０２に進入してくる、しかし、ディスク１４０５の挿入動作及び排出動作を行っているときは、外装カバー１０２が開いているために、未使用領域１３０２から操作部材１４０３が退避している状態である。そのため、第１の揺動体１５０２と操作部材１４０３とが干渉する心配はない。
【００６４】
よって、未使用領域１３０２に操作部材１４０３を配置することで、ビデオカメラ本体１０１を小型化することが可能になる。
【図面の簡単な説明】
【００６５】
【図１】本発明の実施の形態に係る信号記録装置としてのビデオカメラにおいて、外装カバーを開いた状態の外観斜視図である。
【図２】図１のビデオカメラにおいて、外装カバー内部に配置された操作部材を示す概略図である。
【図３】ディスクが挿入口の途中にある状態（挿入途中、排出途中）で、第２の揺動体及び第３の揺動体に当接した状態を示す図１のビデオカメラの断面図である。
【図４】図３における第１の揺動体のディスクに当接する側の先端の構成図である。
【図５】外装カバーが閉じられた状態の図１のビデオカメラの外観斜視図である。
【図６】ディスクを挿入口から挿入している状態の図１のビデオカメラの外観斜視図である。
【図７】ディスクの挿入完了後の図１のビデオカメラの断面図である。
【図８】従来のビデオカメラのカム溝と図１のビデオカメラのカム溝を比較して示す図である。
【図９】図８における第１の位置でのスライド機構と第１の揺動体との関係を示す図である。
【図１０】図８における第２の位置でのスライド機構と第１の揺動体との関係を示す図である。
【図１１】図８における第３の位置でのスライド機構と第１の揺動体との関係を示す図である。
【図１２】図８における第４の位置でのスライド機構と第１の揺動体との関係を示す図である。
【図１３】図３におけるディスク駆動装置の未使用領域を示す図である。
【図１４】従来例に係る信号記録再生装置としてのビデオカメラの外観斜視図である。
【図１５】図１４のビデオカメラをある切断面にて切断したときの構成図である。
【図１６】図１５のディスク駆動装置に配置されたそれぞれの揺動体の動作を示す概略図である。
【図１７】ディスクが挿入されているときの図１４のビデオカメラの断面図である。
【図１８】ディスクが排出されているときの図１４のビデオカメラの断面図である。
【符号の説明】
【００６６】
１０１  ビデオカメラ本体
１０２  外装カバー
４０１  ガイドベース
４０２  ガイド軸
４０３  ガイドローラ
８０１  カム溝
８０２  第１の位置
８０３  第２の位置
８０４  第３の位置
８０５  第４の位置
１３０１  ディスクの外周
１３０２  未使用領域
１４０３  操作部材
１４０４  操作部材収納用切り欠き
１４０５  ディスク
１４０６  挿入口
１５０１  ディスク駆動装置（スロットイン方式）
１５０２  第１の揺動体
１５０３  第２の揺動体
１５０４  第３の揺動体
１６０７  モータ
１６０８  ギア列
１６０９  スライド機構
【図１】
2009295198.tif 000003
【図２】
2009295198.tif 000004
【図３】
2009295198.tif 000005
【図４】
2009295198.tif 000006
【図５】
2009295198.tif 000007
【図６】
2009295198.tif 000008
【図７】
2009295198.tif 000009
【図８】
2009295198.tif 000010
【図９】
2009295198.tif 000011
【図１０】
2009295198.tif 000012
【図１１】
2009295198.tif 000013
【図１２】
2009295198.tif 000014
【図１３】
2009295198.tif 000015
【図１４】
2009295198.tif 000016
【図１５】
2009295198.tif 000017
【図１６】
2009295198.tif 000018
【図１７】
2009295198.tif 000019
【図１８】
2009295198.tif 000020